(57)【要約】【課題】  読み取り線速と書き込み線速が変更可能なので、読み取り主走査幅の方が作像主走査幅より大きいため、作像速度を低下させないで読み取り線速を遅くすることができるので、駆動部品への負担を軽減する画像形成装置を提供する。【解決手段】  画像読み取り手段１と画像形成手段３の間の領域に画像形成された転写紙の排出部２０、２１を複数設け、ユーザが前記排出部を選択または設定可能である画像形成装置において、シート読み取り装置および原稿画像を読み取る画像読み取り手段１を有し、原稿と画像読み取り手段を相対的に移動させることにより原稿画像を副走査し、ラインセンサによって原稿画像を読み取り、前記画像読み取り手段の最大読み取り可能ライン幅が画像形成主走査幅より大きいことを特徴とする。【選択図】        図２
2005151144.tif 000002
【特許請求の範囲】
【請求項１】
画像形成された転写紙の排紙部を複数設け、ユーザが前記転写紙を排紙する排出部を選択可能とした画像形成装置において、
原稿画像を読み取る画像読み取り手段と、該画像読み取り手段により読み取られた読み取り画像を転写紙に記録する画像形成手段と、前記画像読み取り手段により読み取られた副走査方向の画像データを前記画像形成手段の主走査方向の画像データに配列を変換する画像加工手段とを備え、
前記画像読み取り手段の最大読み取り可能ライン幅を前記画像形成手段の主走査幅より大きくしたことを特徴とする画像形成装置。
【請求項２】
前記ユーザが選択した排紙部に転写紙が排出された場合、該排紙部が選択された旨を少なくとも操作部に表示することを特徴とする請求項１記載の画像形成装置。
【請求項３】
前記ユーザが選択した排紙部に転写紙が排出された場合、該排紙部が選択された旨を表示ランプの点灯、または点滅によって表示することを特徴とする請求項１記載の画像形成装置。
【請求項４】
前記ユーザが選択した排紙部に転写紙が排出された場合、該排紙部が選択された旨を音によって通知すること特徴とする請求項１記載の画像形成装置。
【請求項５】
前記複数の排紙部のうち、少なくとも１つ以上の排紙部には、切り欠きを設けることを特徴とする請求項１記載の画像形成装置。
【請求項６】
前記複数の排紙部のうち、少なくとも１つ以上の排紙部の表面に凹凸を形成すること特徴とする請求項１記載の画像形成装置。
【請求項７】
前記複数の排紙部のうち、少なくとも１つ以上の排紙部は、スライド可能であることを特徴とする請求項１記載の画像形成装置。
【発明の詳細な説明】
【技術分野】
【０００１】
本発明は、ファクシミリ、複合型プリンタ、デジタル複写機等の画像形成装置に関するものである。
【背景技術】
【０００２】
画像形成された転写紙の排出部を複数設け、ユーザがこれらの排出部を選択または設定可能で、その転写紙排出を通知する機能を備えることは従来から知られている（例えば、特許文献１ないし６参照）。
従来のラインセンサによる読み取り手段を設けた複写機は、ミラーを搭載したキャリッジを原稿に対して相対移動させ、ラインセンサを用いてライン毎に原稿画像を読み取り、その読み取った１ライン毎の画像情報を順次書き込むことにより作像を行う方法が種々開発され、実用化されている。
従来技術によると、最大原稿読み取りライン幅と、最大作像書き込みライン幅が等しく、また読み取りライン速度と書き込みライン速度も等しくし、最大原稿読み取り可能サイズと最大書き込み可能サイズは同じである場合が多かった。
このような技術においては、一度キャリッジによる読み取りを行った後に、キャリッジを初期位置まで復帰させる必要があり、この復帰動作をしている間は読み取り動作ができないため、無駄な時間が生じてしまい、効率が悪いという不具合がある。
この無駄な時間を減らすために、復帰速度を速くする必要があるが、そのために高トルク、大電流のモータおよびモータドライバを必要とし、また、加速のための助走距離も長くする必要がある。このため、結果として高コスト、高温度上昇、機械幅拡大といった不具合を生じてしまう。
また、スキャナのランプ等、寿命の短い部品については、長時間使用した場合は交換が必要となる可能性があるため、できるだけ使用時間を短縮する必要がある。
さらに、ユーザによる読み取り方向が、画像形成にとって必ずしも効率のよい方向であるとは限らないため、ユーザの読み取り方向によっては画像形成に時間が掛かってしまうことがある。
【特許文献１】特開２００２−１８２４４１公報
【特許文献２】特開平１０−３３００１３号公報
【特許文献３】特開平１０−３１３３７３号公報
【特許文献４】特開平８−３３９１０５号公報
【特許文献５】特開２００２−０６８５６６公報
【特許文献６】特開２００２−０４６９２２公報
【発明の開示】
【発明が解決しようとする課題】
【０００３】
例えば、原稿の長手方向の長さが最大主走査読み取りライン幅以内であるにも拘わらず、原稿の長手方向を主走査、短い方を副走査となるように画像読み取りを行い、その読み取りライン毎に作像を行った場合、読み取りに時間が掛かるだけでなく、画像形成にも時間が掛かってしまうといった不具合がある。
また、従来技術においては、最大原稿読み取りライン幅と、最大作像書き込みライン幅が等しいため、書き込みサイズ以下の原稿しか読み取ることができなかった。
さらに、胴内排紙の複写機においては、一般的にプリンタ部の上方に転写紙の排出を行うため、排出部が１カ所しかない。このため、複数部の出力や、ファクシミリとプリンタ等の出力が入り交じり、分類に手間が掛かる。
ことに胴内排紙の場合は、排紙されるスペースが狭く、通常の装置本体横に排紙される場合より、排紙された紙が視認しにくいため、困難である。また、表面を上として出力すると、出力の順番が逆となり、改めて順番を入れ替えなければならなくなる。
従来、胴内排紙においては、排紙スペースが狭く、排出部に画像形成された転写紙が排出されても、ユーザに見えにくいため、ユーザが気付かず、紙を取り忘れたり、再プリントしてしまうという不具合がある。
さらに、胴内排紙の複写機において、胴内のスペースを広く取ろうとすると、複写機の原稿台の高さが高くなるか、或いは画像形成装置の高さを低くするため、装置全体の幅が大きくなるか、トレードオフとなってしまうため、胴内のスペースは余り広くとれないという制約がある。
そのため、ユーザにとって、胴内に排紙された紙は胴内排紙でない装置から排紙された紙と比較して取りづらいという不具合が生じ易い。
そこで本発明の目的は、上記課題を解決するために、読み取り線速と書き込み線速が変更可能なので、読み取り主走査幅の方が作像主走査幅より大きいため、作像速度を低下させないで読み取り線速を遅くすることができるので、駆動部品への負担を軽減する画像形成装置を提供することにある。
【課題を解決するための手段】
【０００４】
上記の課題を解決するために、請求項１に記載の発明は、画像形成された転写紙の排紙部を複数設け、ユーザが前記転写紙を排紙する排出部を選択可能とした画像形成装置において、原稿画像を読み取る画像読み取り手段と、該画像読み取り手段により読み取られた読み取り画像を転写紙に記録する画像形成手段と、前記画像読み取り手段により読み取られた副走査方向の画像データを前記画像形成手段の主走査方向の画像データに配列を変換する画像加工手段とを備え、前記画像読み取り手段の最大読み取り可能ライン幅を前記画像形成手段の主走査幅より大きくしたことを特徴とする。
請求項２に記載の発明は、前記ユーザが選択した排紙部に転写紙が排出された場合、該排紙部が選択された旨を少なくとも操作部に表示することを特徴とする。
請求項３に記載の発明は、前記ユーザが選択した排紙部に転写紙が排出された場合、該排紙部が選択された旨を表示ランプの点灯、または点滅によって表示することを特徴とする。
請求項４に記載の発明は、前記ユーザが選択した排紙部に転写紙が排出された場合、該排紙部が選択された旨を音によって通知すること特徴とする。
請求項５に記載の発明は、前記複数の排紙部のうち、少なくとも１つ以上の排紙部には、切り欠きを設けることを特徴とする。
請求項６に記載の発明は、前記複数の排紙部のうち、少なくとも１つ以上の排紙部の表面に凹凸を形成すること特徴とする。
請求項７に記載の発明は、前記複数の排紙部のうち、少なくとも１つ以上の排紙部は、スライド可能であることを特徴とする。
【発明の効果】
【０００５】
本発明によれば、読み取り線速と書き込み線速が変更可能なので、読み取り主走査幅の方が作像主走査幅より大きいため、作像速度を低下させないで読み取り線速を遅くすることができるので、駆動部品への負担を軽減することができる。
【発明を実施するための最良の形態】
【０００６】
以下、図面を参照して、本発明の実施形態を詳細に説明する。図１は複写機の構成を示す概略構成図である。図２は図１の複写機の上面図である。図３は図２の複写機の書き込みサイズを示す概略図である。図４は図２の複写機の外観を示す概略図である。
図１〜図４には一般的な複写機Ａを示している。．読み取り部１から読み込まれた画像データは、画像加工（処理）部２を通過し、画像書き込み部（出力部）３に転送され、印刷される。
図２の複写機Ａにおいて、第１および第２レール４、５を第１および第２走行体６、７が走行し、これに第１ミラー８、第２および第３ミラーおよび光源（ランプ）１０が取り付けられている。第１および第２走行体６、７は駆動モータ１１、タイミングベルト１２、駆動軸１３およびワイヤ駆動プーリ１４によって駆動される。
図中符号１５はレンズ、１６はＳＢＵ（ＣＣＤ）基板、１７は原稿サイズセンサである。操作部１８には種々の指示を表示する表示部、テンキー等が配置されている。
本発明の複写機Ａにおいては、図２および図３に示すように、読み取りサイズ（主走査）ａが、書き込み（印刷部）サイズ（主走査）ｄより大きいものを搭載している。
読み取り原稿が、画像読み取り部１に置かれると、原稿サイズセンサ１７により、原稿サイズを検知、認識する。本発明の複写機Ａとしては、原稿から読み取った画像情報と、印刷するために出力サイズを合わせるという画像加工部２がある。
【０００７】
画像加工部２は印刷する転写紙サイズを検知、または、操作部１８などから予め入力したサイズなどと画像印刷領域を合わせる作業を行う。簡単な複写例をあげると（図２、３）、読み取りサイズ（主走査）ａがＡ３サイズの長手（４２０ｍｍ）を読め、印刷部（画像書き込み部）３（主走査）サイズがＡ３サイズの短手（２９７ｍｍ）を印刷できるサイズとしたとき、読み取り部からＡ３サイズ原稿を読ませ複写する。
画像読み取り部１からの読み取った画像情報は、主走査：４２０ｍｍ、副走査：２９７ｍｍという画像サイズである。印刷部３（主走査）サイズは２９７ｍｍであるので、画像加工部２は、読み取り画像の副走査を、印刷部３の主走査に画像配列を置き換え、印刷部３に画像転送、印刷を行う。
このとき、読み取り（主走査）サイズａは、印刷部（主走査）サイズｄより大きいので、読み取り副走査速度と印刷部副走査速度が同速の場合、読み取り作業時間は少なくすみ、印刷中でもありながら次の原稿読み取り作業を開始することができる。
または、読み取り走査体などのリターンに時間が取ることができ、複写機振動の低減、スキャナ駆動装置の負荷低減が可能である。または、（読み取り部主走査サイズ）／（印刷部主走査サイズ）の分だけ印刷副走査速度を上げることで複写生産性向上も図れる。
【０００８】
また、画像読み取り部１にシートフィード読み取り装置を設けることで、上記複写機では読み取り主走査サイズが４２０ｍｍということになり、Ａ２サイズ縦方向で読み取りが可能となる。
このＡ２縦サイズの原稿情報を複写する場合は、画像加工部２で変倍し、原稿サイズから縮小した複写とすることによって原稿全面印刷することが可能である。また、画像読み取り部１に設けたシートフィード読み取り装置１９に原稿サイズ検知手段を設けることで、複写原稿サイズを認識、最適な転写紙サイズを選択する。
この最適とは、本例でいうと、なるべく原稿サイズに近い転写紙を選択することで、Ａ２であればＡ３（印刷主走査の最大紙サイズ）ということである。また、原稿サイズ、転写紙サイズから、画像加工部は画像回転、画像変倍などモードを切り換える。また、画像加工部２に記録媒体を備えることで、大量の連続した原稿画像を複数部として印刷することもできる。
等倍の複写のときにおいても、読み取り速度を変更させ読み取り、複写効率を追求する。例えば、原稿セットがＡ４縦で複数枚、複数部の複写をする場合、読み取り速度は少なくとも、（Ａ４長手）／（Ａ４短手）以上とし読み取る。
印刷部３は、主走査サイズがＡ４長手（２９７ｍｍ）であるので、複写効率から、読み取り速度上げて読み取った原稿画像情報を、画像加工部２を通し印刷部３においてＡ４横（印刷主走査がＡ４長手）で印刷する。また、原稿セットサイズと転写紙サイズから、最適な読み取り速度で読み取り複写する。
上記動作を行う画像形成装置において、画像読み取り手段走査方向と、画像形成走査方向を直交させることで、そもそも読み取りライン幅（主走査サイズ）が、画像形成走査幅より大きい。
そのため、読み取り走査方向と画像形成主走査方向を同じ方向として配置させると、画像形成部奥行きに対し読み取り部奥行きが大きくなってしまうので、読み取り走査方向と画像形成走査方向を直交させる配置とすることで、装置の小型化ならびに省スペースを図り、従来機に対し装置大きさでは同等で装置を提供することが可能となる（図２）。
【０００９】
また、画像形成された転写紙排出部を装置の読み取り部と画像形成部の間の領域、装置胴内部に付設することで、排出部２０が装置から飛び出すこと無く装置設置スペースの最小化（省スペース化）が図れる。
また、上記複写機の画像読み取り部１と画像印刷部３の装置胴内部に複数の排出用トレイ２０、２１を配置し、複写、ファクシミリ、プリント出力などの各種モード、使用者別での排出用トレイ２０、２１先を選択し、仕分けを行う。
この複数の排出用トレイ２０、２１に印字された転写紙のプリント（印刷）面があり、両面プリントの場合は、第１面が下面となるよう排出させ、プリント（印刷）順序が逆にならないように排出する。
複写、ファクシミリ、プリント出力などプリント（印刷）部数が複数における部数毎の仕分けとして、前記の複数の排出用トレイ２０、２１において、これらの排出用トレイ２０、２１が搖動しプリント（印刷）部数毎に排出部トレイでの姿勢を変化させ、部数仕分けを行う。
また、プリント（印刷）部数毎にプリント（印刷）用紙の縦横の向きを変化させ部数毎の仕分けを行うことでも同様である。
装置使用者（ユーザ）が、前記装置胴内の複数ある排出用トレイで、使用モード、例えば、複写、ファクシミリ、プリント出力などプリント（印刷）毎に、排出用トレイを予め設定しておくことで、各モ−ドにおける仕分けが可能である。
【００１０】
装置使用者（ユーザ）が大量にプリント（印刷）された用紙があった場合、迷うこと無くこれはファクシミリ、これは複写…など、モードによる排出用トレイを設定することで、排出用トレイ毎に仕分けでき、装置使用者（ユーザ）の装置使用時の効率が向上する。
また、装置使用者（ユーザ）毎に、排出用トレイを設定することで、複数の装置使用者（ユーザ）で装置を使用する場合は、どの装置使用者（ユーザ）がプリント（印刷）したかがわかり、装置使用時の効率が向上する。
各種装置使用モード（複写、ファクシミリ、プリントなど）で、排出用トレイを選択するか、装置使用者（ユーザ）毎に排出用トレイを選択させるかで、装置使用者（ユーザ）のニーズにあった排出動作を行い装置使用時の効率が向上する。
さらに、装置胴内部の排出用トレイにプリント（印刷）が出た場合、装置はメッセージを表示し、装置使用者（ユーザ）に対しプリント（印刷）完了を伝える。このメッセージは操作部１８に表示したり、排出用トレイに表示させたりする。
また、排出用トレイでは、ランプ２２などを配置しランプを点灯、点滅させ、使用者（ユーザ）がどこの排出用トレイにプリント（印刷）が出たのかが、すぐ分かるようにする。
また、音、例えば、お知らせブザー２３などで装置使用者（ユーザ）に排出完了を伝えることもできる。このように、装置使用者（ユーザ）の装置使用における効率を向上させるべく、胴内排出トレイ状態を伝達する手段が装置に設けられる。
【００１１】
図５は胴内排出の排出用トレイに設けた凹凸を示す概略斜視図である。図６は胴内排出の排出用トレイに設けた切り欠きを示す概略斜視図である。トレイ表面形状として、凹凸２１ａを設けプリント（印刷）用紙がトレイ表面に貼り付くことを防止し、装置使用者（ユーザ）が取るさい、プリント（印刷）用紙を取り易くする。
また、複写、ファクシミリ、プリント出力などプリント（印刷）部数が複数における部数毎の仕分けとして、前記の複数の排出用トレイにおいて、排出用トレイ２１の形状に切り欠き２１ｂを設け排出させたプリント（印刷）用紙を装置使用者（ユーザ）が取るさい、プリント（印刷）用紙を取り易くする。
さらに、前記排出トレイ２０、２１は装置前方に引き出し可能とすることでも、装置使用者（ユーザ）がプリント（印刷）用紙を取るさい、それらの用紙を取り易くする。
本発明の画像形成装置においては、転写紙の排出後に操作部１８にメッセージを表示するので、ユーザがプリント後に取り忘れることがなくなる。また、ユーザが出力指示した転写紙が排出されているかどうか判別できる。
さらに、本発明の画像形成装置においては、転写紙の排出を、ランプ２２によって表示するので、ユーザが自分の転写紙を取り終わるまで継続して転写紙の出力を表示できる。
この表示は転写紙の排出を音（お知らせブザー２３）によっても知らせることができるので、出力が終了するまで装置に付いていなくても、ユーザに出力されたことが解る。
本発明の画像形成装置においては、排出部の表面に凹凸があるので、ユーザが出力した転写紙が装置に貼り付くことなく取り易い。また、排紙用トレイがスライド可能であるので、排紙用トレイを手前に引き出して、広いスペースでユーザが出力した紙を確認し易い。
【図面の簡単な説明】
【００１２】
【図１】複写機の構成を示す概略構成図。
【図２】図１の複写機の上面図。
【図３】図２の複写機の書き込みサイズを示す概略図。
【図４】図２の複写機の外観を示す概略図。
【図５】胴内排出の排出用トレイに設けた凹凸を示す概略斜視図。
【図６】胴内排出の排出用トレイに設けた切り欠きを示す概略斜視図。
【符号の説明】
【００１３】
Ａ    複写機（画像形成装置）
１    画像読み取り部（画像読み取り手段）
２    画像加工部
３    画像書き込み部（画像形成手段、印刷部）
１８    操作部
２０    排出用トレイ（排出部）
２１    排出用トレイ（排出部）
２１ａ  凹凸
２１ｂ  切り欠き
２２    表示ランプ
２３    音（お知らせブザー）
【図１】
2005151144.tif 000003
【図２】
2005151144.tif 000004
【図３】
2005151144.tif 000005
【図４】
2005151144.tif 000006
【図５】
2005151144.tif 000007
【図６】
2005151144.tif 000008